Podtech/llm-jp-corpus-v4-ja_patent huggingface dataset:
(57)【要約】      （修正有）【課題】自動車の車輪タイヤ側面の汚れを簡単にかつ確実に除去することが可能なタイヤの洗浄方法提供する。【解決手段】タイヤ洗浄装置は車輪を持ち上げてタイヤ１８の左右に回転可能なローラー３，１３を当てて任意に低速回転させブラシをタイヤ側面に当て水、洗剤を使用して汚れを排除する。停止状態でタイヤを洗浄した場合に地面位置がきれいに洗えない。少し車両を動かして再び洗う事で洗浄は可能で有りますが寒い時期の作業は大変です。汚れが排除されたら乾燥した布でタイヤを拭き汚をつきにくい処理を行う。空気圧の点検タイヤの残溝も同時にすることで車両の見栄えが良く安心感が増す。【選択図】図６
2017074935.tif 000002
【特許請求の範囲】
【請求項１】
自動車に取り付けられたタイヤの表面を洗浄するタイヤの洗浄方法にあって、
タイヤを接地面から浮かしタイヤを任意に回転駆動可能な台座に載せ回転と共に
水、洗浄剤を吹き付ける事を特徴とするタイヤの洗浄方方法。
【請求項２】
自動車に取り付けられたタイヤの表面を洗浄するタイヤの洗浄方法にあって、
回転駆動可能なローラーとフリーなローラーを有し、前記ローラーがタイヤの左右を低位置で受け支えて上昇させ任意にタイヤを回転させて洗浄し温風で乾燥させることを特徴とするイヤ洗浄装置。
【請求項３】
自動車に取り付けられたタイヤの表面を洗浄するタイヤの洗浄方法にあって、
回転駆動なローラーと、フリーローラーがタイヤの低位置で向かい合い前記向かい合ったローラーの中央底部に玉軸受が構成されて、前記駆動ローラーとフリーローラーがタイヤを左右ではさみ、はさまれたタイヤ側に力を入れる事でタイヤが玉軸受に乗る特徴とする洗浄装置。
【発明の詳細な説明】
【技術分野】
【０００１】
本発明は、タイヤの表面を洗浄する洗浄装置に関する。
【背景技術】
【０００２】
走行車両に取り付けられたタイヤは道路の条件で汚れ車両自体の見栄えが悪く車としての品位を低下させるという問題があった。
【０００３】
上記のような問題に対処する為の装置が、下記の実用新案文献に開示されている。
この非実用新案文献の装置はタイヤ径と同等の回転軸にブラシを取り付けた洗浄方法。
【先行技術文献】
【特許文献】
【０００４】
【特許文献１】実用新案公開昭62−192968号公報
【発明の概要】
【発明が解決しようとする課題】
【０００５】
解決しようとする問題点は、タイヤの芯に合わせることが困難で操作を誤ったら車両の外観に傷を負わせる懸念がある。
【課題を解決するための手段】
【０００６】
本発明は、車輪を持ち上げ専用の回転台に載せ車輪を回転させて洗浄する方法である。
【発明の効果】
【０００７】
この発明によれば、車輪を専用回転台に載せた状態でタイヤを洗うためタイヤの径に関係なくタイヤの洗浄を行うことができるタイヤ洗浄装置を提供する。
【図面の簡単な説明】
【０００８】
【図１】はタイヤを載せることが出来る台座の全体平面図である。
【図２】図1のB-Bにおける矢視図である。
【図３】図1のA-Aにおける矢視図である。
【図４】本体1aのみの平面図である。
【図５】タイヤを乗せる実施例である。
【図６】図5におけるタイヤが収まった状態の断面図である。
【発明を実施するための形態】
【０００９】
以下、この発明の一実施形態を,図面参照して説明する。図１は、この発明の全体図である。本体1aと本体2bが軸ピン7で止められ、そして本体1a本体2bに自在が可能な車輪14が設けられている。
【００１０】
本体1aに回転用ローラー3がスプロケット5a、5b により固定され更に減速モーター4と回転が伝動構造になっているそしてローラー3の両端にはガイド用輪6a、6bが固定、中央位置に洗浄用ブラシ軸受9を支持する支柱がある。
手前端に本体2bを引き寄せる為のレバー引く治具12が引っ掛けられた状態。
【００１１】
本体2bは軸ピン7で固定され自在可能な車輪キャスター14d 、14eで左右に動くことが可能、ローラー13の左右はスプロケット5c,5dで固定そして隣接さられたガイド輪6c,6dで構成されている。  
【実施例１】
【００１２】
本体2aの軸ピン7を引き抜き更にスライド側のピン8も引き抜きレバー引く治具12のフック21を外し完全に分離させて、本体１aを車両車輪位置の右側から左にくぐらせ、タイヤ18を囲った状態にして左位置の調整穴17にタイヤ19の大きさに合わせた位置に本体2bを軸ビン7で止めレバー引く治具12のフック21をヒッカケ16に掛けてからレバー引く治具12をオン位置に切り替えレバーハンドル20を引き戻す事を繰り返す事で左右のローラー3,13が平行になると同時にタイヤ18は玉軸受23にのり地面との接地面が無くなる、車両のブレーキーは解除状態で駆動ローラー3に連動された減速モーター4で任意に回転可能になる。
【００１３】
図1の状態の回転台装置にジヤッキーで車を持ち上げローラー3,13を位置にタイヤを合わせ降ろしてローラーの回転でタイヤを洗浄する方法も可能。
【００１４】
レバー引く治具の引っ張る構成を油圧機器使用しタイヤ18を上昇させて回転洗浄する方法も可能。
【００１５】
タイヤを洗浄するには両ローラー3,13が平行な位置になり車両の車輪に滑り止めを確認しブレーキーは解除、操作スイッチ10を入りにすることでタイヤ18は回転する。ブラシハンドル19からブラシ11に水を供給できるのでタイヤ18を洗浄するのに理想的なタイヤ18洗いが出来る。
【産業上の利用可能性】
【００１６】
車両の貸し出し業務またタクシ業界ガソリンスタンドのセルフサービス品、愛車用として備える事で便利できれいなタイヤの仕上がりを提供する。
【符号の説明】
【００１７】
１    本体a
２    本体b
3   駆動ローラー
4   減速モーター
5   スプロケット  a
スプロケット  b
スプロケット  c
スプロケット  d
6   ガイド輪      a
ガイド輪       b
ガイド輪       c 
ガイド輪       d
7   軸ピン      
８  スライド側ピン
9  ブラシ軸受
10   操作スイッチ
11   ブラシ
12   レバー引く治具
13   ローラー
14   キャスター
15   ホース
16   ヒッカケ
17   調整穴
18   タイヤ  
19  ブラシハンドル
20  レバーハンドル
21  フック
22  ボールベアリングa
ボールベアリングb
ボールベアリングc
ボールベアリングd
23   ベース玉軸受
【図１】
2017074935.tif 000003
【図２】
2017074935.tif 000004
【図３】
2017074935.tif 000005
【図４】
2017074935.tif 000006
【図５】
2017074935.tif 000007
【図６】
2017074935.tif 000008
(57)【要約】【課題】  沈降分離装置の流出口部において、フロック化された固形分を除去することを可能とする沈降分離装置を提供することにある。【解決手段】  汚濁水の流入部および流出部を有する沈降分離装置において、流出口部を遮蔽するようにラッシュ体を設けてなる、沈降分離装置。【選択図】図５
2017074539.tif 000002
【特許請求の範囲】
【請求項１】
汚濁水の流入部および流出部を有する沈降分離装置において、流出口部を遮蔽するようにラッシュ体を設けることを特徴とする沈降分離装置。
【発明の詳細な説明】
【技術分野】
【０００１】
本発明は、汚濁水中の固形分を沈降分離させる沈降分離装置に関する。
【背景技術】
【０００２】
沈降分離装置は、汚濁水を水平に流し、固形分を重力によって沈降させ分離させる装置であり、濃厚なスラリーを得ることを目的とする濃縮装置（シックナー）と、清澄な液を得ることを目的とする清澄装置（クラリファイヤー）とがある。装置としては、部分的構造は多少異なるが類似したものが用いられる。
これらの装置は、装置内に汚濁水を流すと、液は出口方向に水平に流れ、固形分は液の流れに乗って出口方向に流れながら、重力によって下方に沈降する。そして固形分が分離された処理水は流出口から放流され、沈降した固形分は排出口から装置外に取り出される。
【０００３】
この沈降分離装置を、実際運転すると外気温、装置内の水温差等によって水流に乱れが生じ、汚濁水中に含まれる固形分が傾斜板等で捕捉されず流れと同伴する。いわゆるキャリーオーバー現象が生起し、満足する清澄化効果が得られなかった。これらの問題点を解決する方法として、例えば、沈殿槽内を複数の要素に分割し、沈殿槽内の運動を支配する連続の式と運動方程式を差分方程式に置き換えて所定の境界条件の下でフローパターンが一定に成るまで繰り返し計算を行って定常状態における上記各分割要素の流速を得、この流速の中で沈殿槽内でキャリーオーバーが発生する直前の最大流速を臨界流速とし、該臨界流速との関係からキャリーオーバーを抑制することができる阻流板設置条件を任意の液体流量と任意の液体温度の下で決定し、所定の工程を経て該阻流板の設置された沈殿槽を有する沈降分離装置を製造する方法が提案されている（特許文献１）。
しかしながら、このような方法によっても装置底部に溜まったフロック化した固形分の舞い上がりにより流出口部において、この固形分の混入により清澄化効率を低下させていた。
【先行技術文献】
【特許文献】
【０００４】
【特許文献１】特開平９−１５００１２号公報
【発明の概要】
【発明が解決しようとする課題】
【０００５】
そこで本発明者は、分離装置の底部に溜まったフロック化した固形分が舞い上がり、分離装置の流出口から排出されてしまう欠点を解消すべく種々研究を重ねた結果、本発明を完成するに至った。
【課題を解決するための手段】
【０００６】
すなわち、本発明は、汚濁水の流入部および流出部を有する沈降分離装置において、流出口部を遮蔽するようにラッシュ体を設けることを特徴とする沈降分離装置である。
【発明の効果】
【０００７】
本発明の沈降分離装置によれば、浮遊するフロック化された固形分を捕捉して装置外への流出を完全に防止することができると共に、ラッシュ体にフロック化された固形分が付着しても、例えば棒状体のようなものでたたく等して、ラッシュ体に衝撃を与えることによって簡単に剥離させることができるので、保守管理も容易に行うことができる。
【図面の簡単な説明】
【０００８】
【図１】ラッシュ体の側断面図である。
【図２】ラッシュ体の他の態様を示す側断面図である。
【図３】フロート付膜状ラッシュ体の斜視図である。
【図４】フロート付膜状ラッシュ体の他の態様を示す側断面図である。
【図５】流出口にラッシュ体を設けた状態を示す横流沈降分離装置の略断面図である。
【図６】流出口にラッシュ体を他の態様で設けた状態を示す横流沈降分離装置の一部概略断面図である。
【発明を実施するための形態】
【０００９】
次に本発明を図面を参照しながら本発明を説明するが、本発明は以下の記載のみに限定されるものではない。
図１は、本発明のラッシュ体１の側面図であり、芯体２から左右にループ状紐状体３が突出した状態で設けたものである。また図２に示すように芯体２から、一方向にのみループ状紐状体４を突出して設けることもできる。
【００１０】
本発明のラッシュ体１を沈降分離装置の流出部に設ける場合は、例えば図３に示すように挿通口５を有するフロート６にネット７を吊下し、該ネット７の下縁部に重錘８を設ける。次にネット７の片面あるいは両面にラッシュ体１を一体に設けフロート付膜状体を構成する。
このフロート付膜状ラッシュ体は、挿通口５にロープを通し複数のフロート付膜状ラッシュ体を連結し、所望の長さに調節する。
また図４に示すように、２つのフロート付膜状体の各重錘をロープ（図示せず）等で繋ぎ、２つのフロート付膜状体を一体としたフロート付膜状体を構成することもできる。このフロート付膜状体は汚濁水が流出口に向かって上昇するところに、効果的に使用でき、流出口部に向かう流れを遮蔽するようにラッシュ体１が設けられている。
【００１１】
次に沈降分離装置にラッシュ体１を設置する方法について説明する。
図５は越流型流出口を有する横流沈降分離装置の概略側断面図である。
流入管９より汚濁水を横流沈降装置の急速撹拌槽１０に導入し、ここで適宜の手段で凝集剤が添加され撹拌される。次に緩速撹拌槽１１に入りここで緩速撹拌が行われ固形分のフロック化を行い、次いで傾斜板１２を通過させ、ここでフロックの分離を行う。分離されたフロックは沈降分離装置の底部に蓄積される。清澄化された処理水は流出口１３に向かって流れる。この際外気温度、沈降分離装置内の水温差等によって沈降分離装置内の水流は整流を保持することができず、乱流が生起する。これによって底部に蓄積されたフロック化された固形分が舞い上がり流出口１３に向けて流れる。
【００１２】
流出口１３には該流出口１３を遮蔽するようにラッシュ体が展張されているので、該ラッシュ体によってフロック化された固形分が捕捉される。そしてラッシュ体を通過した処理水（清澄水）は、フロック化された固形分が除去されるために清澄効率が高められる。
またラッシュ体は密着した状態で多重状に設ける（展張）こともできる。
さらに図６に示すように流出口１３からラッシュ体との間に適宜の距離（Ａ）を置いて設置することもできる。通常この距離（Ａ）は１０ｃｍ〜１００ｃｍ程度が好ましい。また展張するラッシュ体を多重に設置する場合、その距離（Ｂ）は２０ｃｍ〜２００ｃｍ程度が好ましい。
本発明に使用する沈降分離装置は、その流出口が前記した越流型の外、放流型のものにも好適に適用することができる。
【符号の説明】
【００１３】
１・・・ラッシュ体
２・・・芯体
３・・・ループ状紐状体
６・・・フロート
７・・・ネット
【図１】
2017074539.tif 000003
【図２】
2017074539.tif 000004
【図３】
2017074539.tif 000005
【図４】
2017074539.tif 000006
【図５】
2017074539.tif 000007
【図６】
2017074539.tif 000008
(57)【要約】      （修正有）【課題】ペットのシャンプー後の毛の乾燥やブラッシングが容易に出来るように、ドライヤーのアタッチメントにペット用ブラシを設けたペット用ラクラクドライヤーを提供する。【解決手段】ペットブラシ台１に送風口を開け，ブラシを植え込み、アタッチメント２に固定し、アタッチメントをドライヤー本体４の本体に接続したペット用ラクラクドライヤーを特徴とする。２種類のペット用櫛をアタッチメント２の両脇に固定し、アタッチメント２をドライヤー本体４の本体に接続したペット用ラクラクドライヤー。【選択図】図５
2017074029.tif 000002
【特許請求の範囲】
【請求項１】
ペット用ブラシ台に送風口（１）を開け、ステンレス製のブラシを（１”）に植え込みアタッチメント（２）に固定し、ペット用ブラシ（３）を設け、ドライヤー本体（４）に接続したペットヤクラクドライヤー。
２種類のペット用プラスチック櫛（１’）をアタッチメント（２’）の両脇に固定しペット用（３’）を設け、ドライヤー本体（４’）に接続したペット用ラクラクドライヤー。
【発明の詳細な説明】
【技術分野】
【０００１】この発明は、ヘヤードライヤーにペット用のブラシを取り付けたペット用ラクラクドライヤーに関するものである。
【背景技術】
【０００２】従来、ドライヤーとペット用ブラシは別々になっていた。
【発明の概要】
【発明が解決しようとする課題】
【０００３】これは、次のような欠点があった。
従来、ペットのシャンプー後の毛の乾燥には時間と手間がかかりペットへの負担が多く、家庭ではペットの毛の乾燥が中途半端になっていた。特に人気ＮＯ１のトイプードルは毎日のブラッシングや、シャンプー後の乾燥が不十分により沢山の毛玉が出来て困る事が多かった。
本発明は、以上のような欠点をなくす為になされたものである。
【課題を解決するための手段】
【０００４】ブラシ台（１）に送風口を開け（１”）にブラシを植え込み、アタッチメント（２）に設置する。２種類の櫛（１’）をアタッチメント（２）の両脇に設け、ドライヤー本体に接続する。
本発明は、以上の構成からなるペット用ラクラクドライヤーである。
【発明の効果】
【０００５】ドライヤーにペット用ブラシが一体化され、小型犬から大型犬のシャンプー後の毛の乾燥とブラッシングが容易に出来、ペットへの負担が激減されペットのストレスが解消される。
電源があれば場所を問わずにブラッシングが出来る為に飼い主の手間も省ける。
【図面の簡単な説明】
【０００６】
【図１】本発明の斜線図である。
【図２】本発明の断面図である。
【図３】本発明の斜線ずである。
【図４】本発明の斜線図である。
【図５】本発明の完成作品の斜線図である。
【図６】本発明の完成作品の斜線図である。
【発明を実施するための形態】
【０００７】以下、本発明を実施する為の形態について説明する。
ブラシ台（１）に送風口を開け（１”）のステンレス製のブラシを植え込みアタッチメント（２）に固定し（３）とする。
（１’）２本のプラスチック製の櫛を（２’）のアタッチメントの両脇に固定（３’）とし、ドライヤー本体（４）にアタッチメント（３）（３’）を接続し使用する。
これを使用する時は、ペットの毛の状態でアタッチメント（３）（３’）を使い分ける事で、家庭でもペットの毛の乾燥やブラッシングが短時間で簡単にできる。
【実施例１】
【０００８】短毛のペットの毛の乾燥には、アタッチメントを付けず従来のドライヤーとして使用できる。【０００９】アタッチメントを付けず人間のドライヤーとしても使用できる。
【産業上の利用可能性】
【００２１】
【符号の説明】
【００２２】１    ペットブラシ台
１’  ペット櫛
１”  （１）のブラシ台にペット用のブラシを埋め込んだ断面図
２    ステンレスペットブラシアタッチメント
２’  ペット用櫛アタッチメント
３    ペット用ブラシの完成図
３’  ペット用櫛の完成図
４    ドライヤー本体
【図１】
2017074029.tif 000003
【図２】
2017074029.tif 000004
【図３】
2017074029.tif 000005
【図４】
2017074029.tif 000006
【図５】
2017074029.tif 000007
【図６】
2017074029.tif 000008
(57)【要約】【課題】  炊飯米および炊飯米加工品における米飯粒の粒立ちの良さを容易に測定する。【解決手段】  粒立ちの良い米飯粒は、粒立ちの悪い米飯粒に比べ、画像二次元データである面積値が大きく、ヒストグラムにおける累積度数分布曲線の傾きが大きいことに着目し、デジタル撮影した米飯粒の画像を市販の画像解析ソフトで処理し、面積値を計測し、合計した総面積値、およびヒストグラムにおける累積度数分布曲線の傾きをもとに評価する。【選択図】図１
2017219527.tif 000002
【特許請求の範囲】
【請求項１】
炊飯米および炊飯米加工品の任意の箇所から任意の粒数の米飯粒を一粒ずつ採取し並べ俯瞰よりデジタル撮影し、得られた米飯粒画像を市販の画像解析ソフトで処理、全粒について面積を計測し、総面積値および累積度数分布曲線の傾きをもとに粒立ちの良さを評価する測定方法。
【発明の詳細な説明】
【技術分野】
【０００１】  本発明は、炊飯米および炊飯米加工品における米飯粒の粒立ちの良さを容易に測定する方法に関するものである。
【背景技術】
【０００２】  炊飯米を食した際、米飯粒一粒一粒がふっくら且つしっかりしている状態を、一般的に粒立ちが良いと表現する。粒立ちの良さはおいしさを構成する重要な要素の一つであり、特におにぎりやシャリ玉（酢飯）などの、炊飯後さらに成形加工される炊飯米加工品については、成形工程で米飯粒が潰れることがあり、最終品において良好な粒立ちを保っていることは大変重要である。米飯の硬さやねばりについては物性測定機を用いて測定されることが多いが、粒立ちの良さを直接、物性測定機で測定することは困難であり、官能による評価が主流である。
【先行技術文献】
【非特許文献】
【０００３】
【非特許文献１】  鈴木啓太郎著  食品と容器  ２０１１  ＶＯＬ．５２  Ｎｏ．１０
【発明の概要】
【発明が解決しようとする課題】
【０００４】  しかし、官能評価は誰でも実施可能なわけではなく、評価データとして客観性・再現性を得るために、特別に訓練された評価パネルが必要であり、また評価結果も５〜７段階の評点で表すことが多く、微差を検出しにくいという課題がある。
【課題を解決するための手段】
【０００５】  改善策として、市販の画像解析ソフトを使用し、米飯粒の画像二次元データである面積を計測することによって、誰でも簡単に粒立ちの良さを測定できる方法を発明した。粒立ちの良い米飯粒は、粒立ちの悪い米飯粒に比べ、総面積値が大きく、また横軸に面積、縦軸に度数（粒数）をとったヒストグラムにおいて、累積度数分布曲線の傾きが大きいことに着目したものである。
【発明の効果】
【０００６】  本測定方法は原理が単純で、市販の画像解析ソフトがあれば誰にでも実施可能な方法である。また、結果は連続データで微差の検出が可能である。さらに比較的多数の米飯粒を瞬時に計測できるため、得られるデータ数が多い。また、計測結果をヒストグラムで表すことにより、粒立ちの良さの程度を視覚的に捉えることができるという利点がある。
【図面の簡単な説明】
【０００７】
【図１】図１は官能評価で粒立ちが良いとされた試料のヒストグラムである。
【図２】図２は官能評価で粒立ちが悪いとされた試料のヒストグラムである。
【発明を実施するための形態】
炊飯米および炊飯米加工品の任意の箇所から任意の粒数の米飯粒を一粒ずつ採取し並べ、俯瞰よりデジタル撮影し、得られた米飯粒画像を市販の画像解析ソフトで処理、全粒について面積を計測し合計した総面積値、および累積度数分布曲線の傾きをもとに粒立ちの良さを評価する測定方法。頻度（粒数）を縦軸に面積を横軸にヒストグラムを書くと、粒立ちの良い試料は、右方向に度数が集中し、全粒の総面積値も大きい。逆に粒立ちの悪い試料は、全体に度数が分散し、総面積値も小さい。総面積値が大きいことは粒が大きいことを、累積度数分布曲線の傾きが大きいことは粒が揃っていることを示す。これら二つの測定パラメーターは官能評価と良好な一致を見せた。
【実施例１】
【０００８】  市販のおにぎりの３か所の角部から各５０粒、合計１５０粒の米飯粒を採取し、市販のプラスティックシャーレに並べデジタル撮影した。ピンセット等を用い一粒ずつ採取し、シャーレなどの透明容器に間隔をあけて、米飯粒を水平方向に寝かせ並べる。採取する箇所、粒数などは目的や試料数に応じて任意に決定することができる。【０００９】  撮影の際には、スケールを一緒に映し込む、またはシャーレの径を測定するなど、解析の際に画像ピクセルを実際のサイズに補正できるよう準備をした。【００１０】  画像解析ソフトの使用手順に従い、米飯粒を検出し、全粒について面積を計測した。この段階では計測値は画像ピクセル単位なので、実際のサイズに補正した。【００１１】  得られた計測値をエクセルなどのデータ処理ソフトにエクスポートした。【００１２】  図１は官能評価で粒立ちが良いと評価された市販のおにぎり試料について、それぞれ角部３か所から米飯粒を各５０粒、合計１５０粒を採取し、測定した面積データをヒストグラムに示したものである。縦軸は頻度（粒数）を横軸は面積を示している。図２は官能評価で粒立ちが悪いと評価された市販のおにぎり試料のヒストグラムである。粒立ちの差を明瞭に捉えることができた。また、両者の総面積値および累積度数分布曲線の傾きには顕著な差があった。
【産業上の利用可能性】
【００１３】  画像解析ソフトを所有する拠点へ画像データを送信することで、遠隔地の品質管理も可能になる。誰でも何処ででも粒立ちの良さを評価することができる。
【図１】
2017219527.tif 000003
【図２】
2017219527.tif 000004
(57)【要約】  【課題】  個室たるカラオケルーム内でインターネット利用を含むＰＣ利用環境を、法規制を遵守した安全な状態で提供する。  【解決手段】  顧客の入店時に、ＰＣ使用希望者のみ個人情報を収集して、当該個人情報に紐づけられたＰＣ利用番号を発行し、個室にて、カラオケ装置に当該ＰＣ利用番号を入力して照合が成功した場合にのみインターネット利用を含むＰＣ利用を可能とする。【選択図】図１
2017219608.tif 000002
【特許請求の範囲】
【請求項１】
複数のカラオケ端末装置と受付端末装置がルータを経由して専用サーバに一般インターネットを介して接続可能となるネットワークカラオケシステムであって、
当該カラオケ端末装置にはインターネット接続を含む使用が可能で、通常は利用できない状態に制限されているパーソナルコンピュータ（ＰＣ）が接続されており、
前記受付端末装置で顧客の利用申し込みを受け付け、ＰＣ利用番号を発行する工程、
前記利用番号を前記カラオケ端末装置に入力する工程、
入力された前記利用番号と、前記発行された前記利用番号を照合する工程、
前記照合をカラオケ装置に通知する工程、
前記通知結果が照合成功の場合は前記ＰＣを使用可能な状態にする工程を含むことを特徴とするネットワークカラオケシステム。
【発明の詳細な説明】
【技術分野】
【０００１】
カラオケ利用者にインターネットアクセスを含むＰＣ環境を提供するにあたり、ＰＣの利用を制御する技術に関する。
【背景技術】
【０００２】
昨今のカラオケシステムにおいては、ネットワークカラオケが一般的になり、インターネット回線がカラオケルーム内にも施設される環境となってきている。
【０００３】
しかしながら、個室でのインターネットアクセスは、青少年にとって有害なサイトへもアクセスできることから何かとトラブルの温床になりがちであり、また個人特定できない個室内でのアクセスもできるため、ネット犯罪にまで発展するケースも少なくない。
【０００４】
このため、いわゆる「インターネットカフェ」等の業界では、ほとんどの店が会員制により利用者の年齢等を含む個人特定が可能な情報を入手・管理し、夜間の未成年の入室を規制する他、使用者を特定できる記録を保持しているのが一般的である。
（例  東京都  インターネット端末利用営業の規制に関する条例）
【０００５】
カラオケ個室でインターネット環境を提供する場合にも、利用者が特定できる運用が必要となる。
【０００６】
そこで、本発明の発明者は、カラオケルーム内のＰＣを利用できる権限を付与するＰＣ利用番号を発行して、利用者を特定できる場合にのみ個室内でインターネットが利用できる方策を試みた。
【先行技術文献】
【特許文献】
【０００７】
【特許文献１】特許第４３４５７６７号公報
【特許文献２】特開２００３−３０５４９号公報
【特許文献３】特開２００２−３１８８５１号公報
【発明の概要】
【発明が解決しようとする課題】
【０００８】
特許文献１は、インターネットと携帯電話を使用してカラオケ装置の予約をする技術及び携帯電話を利用し、単にインターネットに接続する技術について述べているが、不特定多数が使用するインターネット端末の使用に関して接続する際、顧客を特定できる管理が可能となるような本願の課題への言及はない。
【０００９】
さらに特許文献２、特許文献３は、いわゆる「インターネットカフェ」の課金システムに係る発明であるが、課金やセキュリティを主目的にしており、青少年の保護などコンプライアンスを目的にしたものではない。例えば特許文献２では、インターネット接続に際し、管理端末にメールで注文伝票を送信して、接続許可を受けるというものであり、主として有料インターネット接続における課金方法を特定するものである。また特許文献３については、無人であっても使用できるというものであって、特定の顧客のみが利用できるといった構成は存在しない。
【課題を解決するための手段】
【００１０】
本発明の請求項１は、
複数のカラオケ端末装置と受付端末装置がルータを経由して専用サーバに一般インターネットを介して接続可能となるネットワークカラオケシステムであって、
当該カラオケ端末装置にはインターネット接続を含む使用が可能で、通常は利用できない状態に制限されているパーソナルコンピュータ（ＰＣ）が接続されており、
前記受付端末装置で顧客の利用申し込みを受け付け、ＰＣ使用希望者のみ個人情報を収集して、当該個人情報に紐づけられたＰＣ利用番号を発行する工程、
前記利用番号を前記カラオケ端末装置に入力する工程、
入力された前記利用番号と、前記発行された前記利用番号を照合する工程、
前記照合をカラオケ装置に通知する工程、
前記通知結果が照合成功の場合は前記ＰＣを使用可能な状態にする工程を含むことを特徴とするネットワークカラオケシステムである。
【発明の効果】
【００１１】
本発明によると、個室内におけるＰＣの利用履歴を「利用番号」毎のログにより、電子的に保持することで、法律が求める詳細な記録が確保できる。
【図面の簡単な説明】
【００１２】
【図１】本発明のイメージを示した構成図である。
【発明を実施するための形態】
【００１３】
本発明のイメージを図１に示す。
ＰＣ３およびモニタ１１がカラオケ装置１に接続され、当該カラオケ装置１はカラオケ店舗内においてハブ７、ルータ５を介してインターネット１０に接続されている。
ハブ７にはアクセスポイント２と受付端末６が接続され、リモコン端末装置４がアクセスポイント２を経由して前記カラオケ装置１を制御する。
カラオケの専用サーバ８は、ルータ９を介してインターネット１０に接続されている。
カラオケ装置１には、当該カラオケ装置１とペアリングされ、当該カラオケ装置１の制御用に設定されたリモコン端末装置４が接続されている。
【００１４】
ＰＣ３はカラオケ装置１に接続されているがインターネットアクセスを含め通常の機能が制限された設定になっている。
【００１５】
利用者が、カラオケ店舗で受付時に、利用者の年齢等の確認を行い個人情報１３を保存し、専用サーバ８は受付端末６経由で当該個人情報１３に紐づいた利用番号１４を発行し、利用者に渡されるとともに、専用サーバ８に保管される。
当該利用番号１４を発行された利用者は、カラオケ装置１を使用開始時にリモコン端末装置４経由でカラオケ装置１に当該利用番号１４を入力し、前記専用サーバ８は当該利用番号１４が照合された場合、当該ＰＣ３のインターネット接続を含む操作制限を解除する。
当該利用番号１４は前記のように個人情報１３に紐づいている為、個室内でのインターネットを使用した利用者を通信ログにより特定することができる。
【産業上の利用可能性】
【００１６】
受付時に利用番号を発行して、ＰＣを使用可能な状態にするため、インターネットの利用以外にもＰＣを業務利用サービスなどに展開が可能である。
【符号の説明】
【００１７】
１…カラオケ装置
２…アクセスポイント
３…パーソナルコンピュータ（ＰＣ）
４…リモコン端末装置
５…ルータ
６…受付端末装置
７…ハブ
８…専用サーバ
９…ルータ
１０…インターネット
１１…モニタ
１２…キーボード・マウス
１３…個人情報
１４…利用番号
【図１】
2017219608.tif 000003
(57)【要約】【課題】  拡大して物体を見たい場合や物体にピントが合わない場合にはヘッドルーペを使用する場合がある。従来のヘッドルーペは目線を変えて遠くの物体を見る場合、レンズを通したままだとピントが合わないため、手動でレンズを目線上から外す操作が必要であった。連続しての作業中や手が離せない状態で、遠くの物体を見るたびに手動でレンズを目線から外す行為は作業の中断になり効率的ではない。【解決手段】  近接した物体を見る場合は、遠方の物体を見る場合と比較して頭を下に向ける動作になる。そこで頭の角度が変化することを利用して自動的に視線上からレンズを挿入、あるいは外す動作をすることで手動での煩雑さをなくすことができる。角度の検出には角度センサー、あるいは加速度センサーを用いて頭の傾き、または傾き角度の変化量から判断する。【選択図】図１
2017219825.tif 000002
【特許請求の範囲】
【請求項１】
ヘッドルーペのレンズを頭の傾き角度、ないし傾き角度の変化量から自動で目線上に挿入、目線上から外す動作を行う機構を具備したヘッドルーペ。
【請求項２】
頭の傾き角度、変化量をセンサーで検出し、検出結果をもとにレンズを駆動する機構、制御装置、バッテリーを具備した請求項１に記載の装置。
【請求項３】
レンズを目線上に挿入したり、外したりする頭の角度の閾値の設定は使用者が自由にできる機能を具備した請求項１および請求項２に記載の装置。
【発明の詳細な説明】
【技術分野】
【０００１】  本発明はヘッドルーペを頭に装着して近接物を見る場合には自動的にレンズを目線上に挿入し、遠くの物体を見る場合にはレンズを目線上から外す行為を頭の角度の違いを検出して自動で行うヘッドルーペに関するものである。
【背景技術】
【０００２】  細かい作業、遠視によって近接物へ目のピントが合わない場合、拡大して物体を見たい場合にヘッドルーペを使用する場合がある。従来のヘッドルーペは遠くの物体を見る場合や、目線を変えた場合にはレンズを通して見た場合ピントが合わないため、手動でレンズを目線上から外す操作が必要であった。連続しての作業中や手が離せない状態で、そのたびに手動でレンズを目線から外す行為は作業の中断になり、効率的ではない。【０００３】  この解決策として、目線を変えた時に頭の傾き角度が変わる事を利用して頭の角度を傾きセンサーあるいは加速度センサーを用いて検出し、近接物を見たい場合はレンズを目線上に挿入、遠くの物体を見る場合はレンズを目線上から外す行為を自動で行うことで、作業の効率化がはかれる。
【発明の概要】
【発明が解決しようとする課題】
【０００４】  手元の物体を見る場合レンズを通して見るが、目線を変え遠くの物体を見る場合は、レンズを通したままだと目のピントが合わないため手動でレンズを目線上から外す動作が必要であった。
【課題を解決するための手段】
【０００５】  手元の物体を見ている場合と遠くを見る場合で、頭の角度が変化することを利用するために頭の傾き角度を検出できる傾きセンサーあるいは加速度センサーを用いて現在の頭の角度、角度の変化量を検出しあらかじめ設定した角度あるいは加速度から自動的に目線上にレンズを挿入したり、外したりを切り替える。
【発明の効果】
【０００６】  目線を変えるたびにレンズを手動で動かす必要がないため、両手が拘束される事がなく細かい作業を中断する事無く継続して行うことが出来る。
【図面の簡単な説明】
【図１】本発明に係わるヘッドルーペの全体構成を示す説明図。
【図２】本発明に係わるヘッドルーペのレンズを目線上に挿入した状態の側面図。
【図３】本発明に係わるヘッドルーペのレンズを目線上から回転させ外した状態の側面図。
【図４】本発明に係わるヘッドルーペのレンズを目線上からスライドさせ外した状態の側面図。
【発明を実施するための形態】
【０００７】  以下、本発明を実施するための形態について説明する。
【実施例】
【０００８】  本発明の主要な特徴を示す形態の実施例を図１に示す。１はヘッドルーペ本体、２はヘッドルーペの傾き、または変化量を検出するセンサー、３はレンズの角度を変える駆動装置、４はレンズ、５は制御装置、６はバッテリー、７は頭にヘッドルーペを固定するためのベルトである。ヘッドルーペを装着して、作業や読書をする場合は頭が下に傾くため、それをセンサー２で検出し、レンズ駆動装置３で図２のようにレンズを目線上に挿入する。【０００９】  遠くの物体を見たい場合は、頭の角度、変化量をセンサー２で検出し、駆動装置３で図３のようにレンズを回転させて目線の外に移動する。または図４のようにレンズをスライドさせて目線の外に移動する。【００１０】  使用者、使用状況によってレンズを目線上に挿入したい角度、目線の外に移動する角度を変えたい場合には制御装置５の設定内容を変更する。
【符号の説明】
【００１１】  １  ヘッドルーペ本体
２  傾きセンサー
３  レンズ駆動装置
４  レンズ
５  制御装置
６  バッテリー
７  頭部への固定用ベルト
【図１】
2017219825.tif 000003
【図２】
2017219825.tif 000004
【図３】
2017219825.tif 000005
【図４】
2017219825.tif 000006
(57)【要約】      （修正有）【課題】価格の安い従来の紙袋なみのコストで作る事ができ、構造上水に強く、保冷力のある保冷袋を提供する。【解決手段】最外層から順に、ポリ袋を角底状にした物４、厚紙（コートボールなど）をコの字形に加工した物３、角底状にしたポリ袋２を、発泡シートをコの字形にした物１を配置した構造の保冷袋５とした。【選択図】図１
2017226477.tif 000002
【特許請求の範囲】
【請求項１】
１番外側にはポリ袋を角底状にした物４を使い、その内側に厚紙（コートボールなど）をコの字形に加工した物３を取り付け、その内側にも角底状にしたポリ袋２を使い、その中に発泡シートをコの字形にした物１を取り付けた構造の保冷袋５です。又、発泡シートをコの字形にした物１と、角底状にしたポリ袋２を取りつける順番を逆にした保冷袋もあります。
【発明の詳細な説明】
【発明の概要】
従来の保冷袋は発泡シートを袋状にした物を使用していました。この考案は短側面と底の部分のみ発泡シートを使うだけの簡単な保冷袋です。
【図面の簡単な説明】
【図１】簡易保冷袋の構造見取り図です
【符号の説明】１    発泡シートをコの字形にした物２    ポリ袋を角底状にした物（内側）３    厚紙などをコの字形に加工した物４    ポリ袋を角底状にした物５    簡易保冷袋の完成図
【図１】
2017226477.tif 000003
(57)【要約】      （修正有）【課題】自転車でパンクさせないため自転車のパンクしないタイヤを提供する【解決手段】空気を入れて使用していた自転車のタイヤ１はパンクの欠点があったが、その欠点をなくすためになされたものであり、パンクしない自転車タイヤ１にするため自転車タイヤ１の空気部分をタイヤに空気を入れずゴム２だけでつくる自転車タイヤ１。【選択図】図１
2017226413.tif 000002
【特許請求の範囲】
【請求項１】
自転車の空気を入れずゴムだけでつくったタイヤ
【発明の詳細な説明】
【技術分野】
【０００１】この発明は自転車のパンクしないタイヤに関するものである。
【背景技術】
【０００２】従来、自転車のタイヤはゴムに空気を入れて使用していた。
【先行技術文献】
【０００３】
【特許文献１】
【非特許文献１】
【発明の概要】
【発明が解決しようとする課題】
【０００４】これは次のような欠点があった。
（イ）自転車のタイヤはパンクばかりしていた。
本発明は、以上のような欠点をなくすためになされたものである。
【課題を解決するための手段】
【０００５】自転車のタイヤの空気部分をゴムだけでつくらなければならない
本発明は、以上の構成によりなる自転車のパンクしないタイヤである
【発明の効果】
【０００６】（イ）タイヤがパンクしなくなる
【図面の簡単な説明】
【０００７】
【図１】本発明の断面図である
【発明を実施するための形態】
【０００８】以下、本発明を実施するための最良の形態について説明する
自転車の（１）タイヤに空気を入れず（２）ゴムだけでつくる
本発明は以上のような構造である
【符号の説明】
【０００９】１  タイヤ
２  ゴム
【図１】
2017226413.tif 000003
(57)【要約】      （修正有）【課題】従来の攪拌による水エマルジョン燃料の生成方法では、生成されたエマルジョン燃料は混合粒子の微細化が不安定で、また生成に多大な時間を要し、更に使用する添加剤の比率が１０〜２０％と高く、製造コストの削減が見込めないため、原料コストが安く、安定性の高い水エマルジョン燃料及びその製造方法の提供。【解決手段】水、燃料、添加剤を超高圧に迄加圧し、前記加圧された水、燃料、添加剤を三方向から特殊ノズルを用いて加速、噴霧衝突させて粒子を微粒子化することにより化学的に安定なエマルジョン燃料を得ることができ、また衝突による時間短縮によりエマルジョン燃料の生成時間を短縮させる。さらに従来に比べ、添加剤使用量が少なく済むエマルジョン燃料の製造方法。【選択図】図１
2017226810.tif 000002
【特許請求の範囲】
【請求項１】
水、燃料、添加剤をノズルを用いて三方向から加速、噴霧衝突させ微粒子化することにより生成させる、エマルジョン燃料の生成方法。
【発明の詳細な説明】
【発明の詳細な説明】
【技術分野】
【０００１】  この発明は、重油、軽油、灯油等の燃料油に水を加えたエマルジョン燃料の製造方法及び製造装置に係り、特に従来のエマルジョン燃料製造過程で生じる発熱量（カロリー）の低下、凍結、ボイラー等の付帯設備等の発錆、又、配管等の接続パイプの詰まりによる不完全燃焼を完全に防止するエマルジョン燃料の製造方法及び製造装置に関するものである。
【背景技術】
【０００２】  エマルジョン燃料は、一般には燃料油（重油、軽油、灯油、廃油等）に水と界面活性剤を添加し、機械的に撹拌して燃料油中に水を分散させた燃料であり、燃料の使用量、環境汚染物質の低減化に、ある程度有効であると公知された燃料である。【０００３】  エマルジョン燃料はその化学的特性により、水を包んでいる外側の油が燃え中の水が急激に沸騰して微爆発することにより微粒子化し、空気との接触面積が飛躍的に増加するために、理論上の空気量に近い空気で完全燃焼に近い燃焼をする。また局部的な不完全燃焼が少なくなるため燃焼効率が高まり粒子状物質の発生を抑えられ、尚且つ含有する水粒子の影響で内燃機関内の温度を比較的定温にすることができ窒素化合物の生成を抑えることができる。またエマルジョン燃料はエマルジョン燃料になる前の燃料の性質を引き継ぐために省エネルギー材料として、コスト面等からも期待されてきた。【０００４】しかしながらエマルジョン燃料の欠点として時間の経過と共に油水分離したり、二層化（上部に水分の少ないエマルジョン燃料、下部に水分の多いエマルジョン燃料）してしまうという欠点があった。そのため特許文献１から２を始めとした様々なエマルジョン燃料生成方法が考案されてきた。
【先行技術文献】
【特許文献】
【０００５】
【特許文献１】特開２０１０−７７４１８
【特許文献２】特開２００９−５１９３９
【発明の開示】
【発明が解決しようとする課題】
【０００６】  しかしながら、前記従来のエマルジョン燃料においては、攪拌の方法や種類又は添加剤の種類によってエマルジョン燃料の安定を図るものが多かった。しかし攪拌による水エマルジョン燃料の生成では水と燃料の混合粒子の微細化が不安定で水と燃料が反転分離する可能性が高く不完全燃焼を起こし失火や内燃機関の損傷に結びつくおそれがあった。又、添加剤を使った化学変化を主とした方法では燃料：添加剤：水＝６０：２０：２０と添加剤が占める割合が２０％と高く、その原料価格を考慮した場合、エマルジョン燃料の一つの目的であるコスト削減を実現することが難しくなり、市場に普及しない原因となっている。【０００７】  そこで、この発明では、水、燃料、添加剤に圧力を与え三方向から噴霧衝突させて超微粒子化させ安定した水エマルジョン燃料の生成を図るものである。これは、燃料：添加剤水＝７０：２：２８という比率で高品質なエマルジョン燃料を生成する。
【課題を解決するための手段】
【０００８】  以上の問題を解決するために本発明は三方向から燃料、水、添加剤を特殊なノズルより加速、噴射し中央部分で噴霧衝突させ、微粒子化して安定したエマルジョン燃料を得る方法である。
【発明の効果】
【０００９】  この発明は水、燃料、添加剤を超高圧にまで加圧し、その加圧された燃料、水、添加剤を三方向に分岐させ、流入口に設置された特殊ノズルにより中央部に向けて加速させ、中央部分で噴霧衝突させ、微粒子化させ安定したエマルジョン燃料を得る。また衝突による生成方法なので瞬時に水エマルジョン燃料を生成し安定化することができる。
【図面の簡単な説明】
【００１０】
【図１】水、燃料、添加剤をノズルを用いて三方向から加速、噴霧衝突させ微粒子化することにより生成させる、超分子化エマルジョン燃料の生成方法を示す図である。
【発明を実施するための形態】
【００１１】  この発明の一実施形態を、図１に示す。
水▲１▼、燃料▲２▼、添加剤▲３▼を超高圧に加圧する。
【００１２】加圧した水、燃料、添加剤をそれぞれの▲４▼の超硬質特殊ノズルより中央部に向け加速させる。
【００１３】  中央部で噴霧衝突させることにより、微粒子化され安定したエマルジョン燃料を得る。
【００１４】以上の方法で水エマルジョン燃料を生成した場合、従来の攪拌によるエマルジョン燃料生成では充分な攪拌を得るのに多大な時間を要していたためにエマルジョン燃料の生成に時間が掛かってきたものが、一瞬でエマルジョン燃料が生成できる。また攪拌した場合よりも高微粒子化できるために安定したエマルジョン燃料を得ることが出来る。
【符号の説明】
【００１５】▲１▼  水
▲２▼  燃料
▲３▼  添加剤
▲４▼  特殊硬質ノズル
【図１】
2017226810.tif 000003
(57)【要約】 【課題】略水平方向に長い三次元造形物を形成することが出来る三次元造形方法を提供しようとするもの。 【解決手段】略水平方向に造形材を吐出すると共に、筐体が略水平方向に変位していくことにより前記造形材を積層・固化していくようにした。筐体が略水平方向に変位していくことにより前記造形材を積層・固化していくようにしたので、略水平方向に造形材を積層・固化していくことが出来る。前記三次元造形方法により長尺建造物を造形するようにしてもよい。【選択図】なし【特許請求の範囲】
【請求項１】
略水平方向に造形材を吐出すると共に、筐体が略水平方向に変位していくことにより前記造形材を積層・固化していくようにしたことを特徴とする三次元造形方法。
【請求項２】
前記三次元造形方法により造形した長尺建造物。
【発明の詳細な説明】
【技術分野】
【０００１】
この発明は、長手方向の長尺造形物を形成することが出来る三次元造形方法に関するものである。 
【背景技術】
【０００２】
従来、三次元造形物の製造方法および三次元造形物の製造装置に関する提案があった（特許文献１）。 
すなわち、粒子を含む組成物（造形材料）を用いて、ステージ上に材料層を形成し、これを積層することで３次元の積層造形物を造形する技術が知られている。  例えば、先行技術には、造形対象物の断面データに対応させて造形材料（粉末材料）に結合剤を付与して結合させることにより、造形材料の結合体による層を順次形成して造形対象物に応じた三次元造形物を生成する３次元造形装置が記載されている。
しかしながら、先行技術に記載の３次元造形装置では、造形材料に付与する結合剤の量（特に積層方向の厚み）にばらつきがある場合に、積層造形物（三次元造形物）の強度や外観にむらが発生してしまう場合があるという問題があった。
この従来提案にかかる三次元造形物の製造方法は、層を積層することにより、三次元造形物を製造する三次元造形物の製造方法であって、粒子を含む造形用組成物を用いて前記層を形成する層形成工程と、形成された前記層に液体を付与する液体付与工程と、付与された前記液体の一部を除去する液体除去工程と、を含み、前記液体除去工程は、付与された前記液体と液体吸収部材とを接触させる工程を含む。
この従来提案によれば、層に付与された液体の一部を除去する液体除去工程が含まれるため、層に付与した液体の量にばらつきが有る場合に、そのばらつきを低減させることができる、というものである。
しかし、前記提案では略水平方向に長い三次元造形物を形成することは出来ないという問題があった。 
【先行技術文献】
【特許文献】
【０００３】
【特許文献１】特開2016-101692公報
【発明の概要】
【発明が解決しようとする課題】
【０００４】
そこでこの発明は、略水平方向に長い三次元造形物を形成することが出来る三次元造形方法を提供しようとするものである。 
【課題を解決するための手段】
【０００５】
前記課題を解決するためこの発明では次のような技術的手段を講じている。 
（１）この発明の三次元造形方法は、略水平方向に造形材を吐出すると共に、筐体が略水平方向に変位していくことにより前記造形材を積層・固化していくようにしたことを特徴とする。
この発明によると、略水平方向に造形材を吐出するようにしており、従来の鉛直方向に吐出する場合と比較して筐体の変位方向を異ならしめることが出来る。
そして、筐体が略水平方向に変位していくことにより前記造形材を積層・固化していくようにしたので、略水平方向に造形材を積層・固化していくことが出来る。
【０００６】
三次元造形物を形成する手法として、紛体積層方式、インクジェット方式、熱溶融方式、シート積層方式、光造形方式、粉末焼結方式などを例示することが出来る。
例えば、熱溶解積層方式は、熱可塑性樹脂のABSやPLAで出来たリール状の細いフィラメントを溶かしながら積み重ねていく。
粉末焼結方式は、レーザー照射によって粉末を焼き固めていく。
インクジェット方式は、光造形の一種で、インクジェットのヘッドから紫外線硬化性の樹脂を噴射し、UVランプで紫外線を照射して固めていく。
面露光方式とは光造形の一種で、光源にプロジェクターを使って樹脂を固める。
粉末接着方式は、石膏などの粉末材料を敷き詰めた上に、ヘッドを移動させて粉末をならしながら、形状に沿って接着剤を塗布して固めていく。
【０００７】
（２）前記三次元造形方法により長尺建造物を造形するようにしてもよい。
前記長尺建造物として、住居、住宅、コンテナ、いわゆる長屋などを例示することが出来る。
【発明の効果】
【０００８】
この発明は上述のような構成であり、次の効果を有する。 
略水平方向に造形材を積層・固化していくことが出来るので、略水平方向に長い三次元造形物を形成することが出来る三次元造形方法を提供することが出来る。
【発明を実施するための形態】
【０００９】
以下、この発明の実施の形態を説明する。
この実施形態の三次元造形方法は、略水平方向（横方向）に造形材を吐出すると共に、筐体が略水平方向に変位していくことにより前記造形材を積層・固化していくようにした。
略水平方向をX軸とY軸、垂直方向をZ軸とすると、筐体はX-Y方向の水平面内で吐出しつつ変位していくことになる。前記略水平方向として、若干斜め方向に変位させることも出来る。
【００１０】
三次元造形物を形成する手法として、紛体積層方式、インクジェット方式、熱溶融方式、シート積層方式、光造形方式、粉末焼結方式で実施した。
熱溶解積層方式でする場合は、熱可塑性樹脂のABSやPLAで出来たリール状の細いフィラメントを溶かしながら積み重ねていった。
粉末焼結方式でする場合は、レーザー照射によって粉末を焼き固めていった。
インクジェット方式でする場合は、光造形の一種で、インクジェットのヘッドから紫外線硬化性の樹脂を噴射し、UVランプで紫外線を照射して固めていった。
面露光方式は光造形の一種で、光源にプロジェクターを使って樹脂を固めた。
粉末接着方式でする場合は、石膏などの粉末材料を敷き詰めた上に、ヘッドを移動させて粉末をならしながら、形状に沿って接着剤を塗布して固めていった。
【００１１】
次に、この実施形態の三次元造形方法使用状態を説明する。 
この三次元造形方法は、略水平方向に造形材を吐出するようにしており、従来の鉛直方向に吐出する場合と比較して筐体の変位方向を異ならしめることが出来る。
そして、筐体が略水平方向に変位していくことにより前記造形材を積層・固化していくようにしたので、略水平方向に造形材を積層・固化していくことができ、略水平方向に長い三次元造形物を形成することが出来るという利点がある。
【実施例】
【００１２】
前記三次元造形方法により、長尺建造物を造形した。前記長尺建造物として、住居、住宅、コンテナ、いわゆる長屋を造形した。
【産業上の利用可能性】
【００１３】
略水平方向に長い三次元造形物を形成することが出来ることによって、製造、建築その他の種々の三次元造形方法の用途に適用することができる。
(57)【要約】      （修正有）【課題】従来の蒸気機関から脱却、かつ、資源の少ない国でも発電を可能にする技術を提供する。【解決手段】従来の発電では、大量の化石燃料や、核燃料を必要としたが、本発電プラントではクリーンな電力が供給でき、大気汚染の少ない電力を安定供給することができる。空圧タンク・ポンプを有する空圧ユニット部と、高圧水流・高圧空気を使用する発電ユニット部を有する発電方式とそのプラントおよび高圧水流を扱う発電プラント部である。【選択図】図１
2017008916.tif 000002
【特許請求の範囲】
【請求項１】
空圧タンク・ポンプを有する空圧ユニット部と、高圧水流・高圧空気を使用する発電ユニット部を有する発電方式とそのプラント。
【請求項２】
高圧水流を扱う発電プラント部。
【発明の詳細な説明】
【技術分野】
【０００１】      本発明は、電力の発電をクリーンかつ、高効率に発電する技術に関する。
【背景技術】
【０００２】      従来の蒸気機関から脱却、かつ、資源の少ない国でも発電を可能にする技術である。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】      従来の蒸気機関から脱却、かつ有機燃料を不要とし、資源の少ない国でも発電を可能にする技術である。
【課題を解決するための手段】
【０００６】      本発明の電力発電プラントは高圧空気と高圧水流を用いる事で、安定かつクリーンな電力発電に貢献する。上記目的を達成する為に、発電炉ユニット部と高圧空気ユニットを用いるものである。
【発明の効果】
【０００７】      上述したように本発明の電力発電プラントは高圧空気と高圧水流を用いる事で、資源の少ない国でも安定かつクリーンな電力発電に貢献する。
【図面の簡単な説明】
【０００８】
【図１】  本発明の実施形態を示す発電プラントの全体図
【図２】  発電ユニット部の外観図
【図３】  空圧ユニット部の外観図
【発明を実施するための形態】
【０００９】      以下、本発明の実施の形態を図１〜図３に基づいて説明する。
【実施例】
【００１０】      図においては、図１・２は高圧水流・高圧空気を使用する発電炉で、
空圧ユニット３は発電ユニット１を高圧にする為の空圧タンク・ポンプを有する。
空圧ユニット３から、発電ユニット２に高圧を掛け、発電プラント１を形成させる。
【産業上の利用可能性】
【・・・・】
【符号の説明】
【００１１】      図内に表記
【受託番号】
【・・・・】
【図１】
2017008916.tif 000003
【図２】
2017008916.tif 000004
【図３】
2017008916.tif 000005